(57)【特許請求の範囲】
【請求項１】
用紙を巻き取る巻き取り主軸と、
前記巻き取り主軸の内部をその軸方向に移動可能な棒状体を有する作用部材と、
前記巻き取り主軸が回転可能に装着されると、前記作用部材を押圧して前記棒状体を前記巻き取り主軸の軸方向の一方の向きに移動させる巻き取り軸受けと、
前記巻き取り軸受けにより前記作用部材が押圧され、前記棒状体が前記巻き取り主軸の軸方向の一方の向きに移動されると、前記巻き取り主軸の内部から突出して前記巻き取り主軸の巻き取り外径を大きくする部材と、
を備え、
前記巻き取り主軸は、底面に、前記巻き取り主軸の巻き取り外径を大きくする部材を各々内部に保持し、該部材を必要に応じて前記巻き取り主軸から突出させるための開口部を軸方向に沿って複数有し、
前記棒状体は、前記複数の開口部の各々に対応して設けられ、前記巻き取り主軸の巻き取り外径を大きくする部材を嵌入する複数の溝部を有し、
前記巻き取り主軸の巻き取り外径を大きくする部材は、前記棒状体の前記巻き取り主軸の軸方向の一方の向きへの移動に伴って前記溝部から押し出され、前記開口部から突出することにより、前記巻き取り主軸の巻き取り外径を大きくすることを特徴とする用紙巻き取り装置。
【請求項２】
前記巻き取り主軸は、前記底面の反対面に、一端が前記巻き取り主軸の一端に軸支され、他端が開閉可能であって、閉じて用紙をはさんで固定する用紙抑えを有する
ことを特徴とする請求項１に記載の用紙巻き取り装置。
【請求項３】
さらに、
前記巻き取り主軸が前記巻き取り軸受けから解放されている際に、前記巻き取り主軸の軸方向の他方の向きに前記作用部材を移動させる弾性体と、
を有することを特徴とする請求項１または２に記載の用紙巻き取り装置。
【請求項４】
さらに、
前記巻き取り軸受けの位置を固定する突起を有する蓋状体と、
を有することを特徴とする請求項１から３のいずれかに記載の用紙巻き取り装置。
【請求項５】
請求項１から４のいずれかに記載の用紙巻き取り装置を有し、当該装置により、印刷された用紙を巻き取ることを特徴とする印刷装置。
【発明の詳細な説明】
【０００１】
【発明の属する技術分野】
本発明は、用紙巻き取り装置、および、これを有する印刷装置（プリンタ）に関し、特に、巻き取った用紙を容易に巻き取り主軸から外すことができ、巻き取る用紙の端部を巻き取り主軸に容易に固定して巻き取りを開始することができる用紙巻き取り装置、および、これを有する印刷装置に関する。
【０００２】
【従来の技術】
従来から、ロール用紙に対して印刷を行う印刷装置（プリンタ）が提案されている。図６は、このような印刷装置の一例を示す説明図である。
【０００３】
この印刷装置６０１では、これから印刷を行うロール用紙を装着する際に、以下のような手順をとる。
【０００４】
まず、蓋６０２を開く。次に、用紙を巻き取る巻き取り主軸６０３が回転可能に固定されたアーム６０４を上方に移動して巻き取り主軸６０３を巻き取り軸受け（図示せず）から外す。すると、図示しない歯車機構の働きで巻き取り主軸６０３の用紙抑え６０６が開く。図６は、この時点の印刷装置の様子を示すものである。
【０００５】
次に、ロール用紙を用紙ストック部６０７に投入し、ロール用紙の端部を用紙抑え６０６と巻き取り主軸６０３の本体との間に挟む。
【０００６】
最後に、蓋６０２を閉じると、これとともにアーム６０４も下方に移動され、図示しない歯車機構の働きにより、用紙抑え６０６が閉じて用紙の端部を巻き取り主軸６０３に固定するとともに、巻き取り主軸６０３が回転してロール用紙の巻き取りが開始できるようになる。
【０００７】
プラテンおよび印字ヘッドは、印刷機構部６０９内に備えられ、ロール用紙は巻き取りローラー６０８によって印刷機構部６０９内に移動されて印刷が行われる。また、巻き取りローラー６０８の動きに合わせて、巻き取り主軸６０３が印刷ずみのロール用紙を巻き取っていく。本印刷装置を店舗のレジスタとして使用する場合は、ロール用紙として２枚重ねの複写式のものを用いる。被複写側の用紙は店舗控えとして巻き取り主軸６０３により巻き取り、顧客側の用紙は、レシートとして印刷機構部６０９の中から排出される。
【０００８】
用紙ストック部６０７に投入されたロール用紙が終わると、蓋６０２を開き、アーム６０４を上方に移動してから、巻き取った印刷済みの用紙を巻き取り主軸６０３から取り外す。以降は、上記と同様の作業により新たなロール用紙を印刷装置に投入して、印刷の準備を行う。
【０００９】
一方、用紙抑え６０６のような機構を設けずに、巻き取り主軸６０３をアーム６０４から取り外しできるようにし、印刷済みの用紙は巻き取り主軸６０３とともに保存する手法もある。この手法では、用紙端部は巻き取り主軸６０３が有するスリットに挿入して固定する。
【００１０】
【発明が解決しようとする課題】
しかしながら、従来の印刷装置における用紙巻き取り装置では、以下のような問題があった。
【００１１】
すなわち、前者の手法では、用紙は巻き取り主軸６０３に密着するように巻き取られることと、用紙抑え６０６が巻き取り主軸６０３の本体との間で用紙の端部を挟んでいることから、印刷済みの用紙が巻き取り主軸６０３に固着してしまう。このため、印刷済みの用紙を巻き取り主軸６０３から取り外すのが極めて困難になり、無理に取り外すと用紙の内側が巻き取り主軸６０３に残って用紙の巻き取りがずれて巻き乱れが発生したり、巻き取りが外れて絡みあったり、用紙が破れてしまったりするという問題が生ずる。
【００１２】
また、後者の手法では、巻き取り主軸６０３とともに印刷済み用紙を保存するため、用紙を取り外す際の巻き乱れは発生しないが、多数の巻き取り主軸６０３が必要となるため運用コストが上昇してしまうという問題が生ずる。また、スリットに用紙の端部を挿入しなければならないため、印刷できるようにするための準備の労力が極めて大きくなり、準備にかかる時間が長くなってしまうという問題が生ずる。
【００１３】
本発明は、これらの問題を解決するためになされたものであり、巻き取った用紙を容易に巻き取り主軸から外すことができ、巻き取る用紙の端部を巻き取り主軸に容易に固定して巻き取りを開始することができ、機構が簡単で運用コストが低い用紙巻き取り装置、および、これを有する印刷装置を提供することを目的とする。
【００１４】
【課題を解決するための手段】
以上の目的を達成するための発明は下記の発明である。
【００１５】
第１の発明は、以下の用紙巻き取り装置である。
【００１６】
用紙を巻き取る巻き取り主軸と、巻き取り主軸の内部をその軸方向に移動可能な棒状体を有する作用部材と、巻き取り主軸が回転可能に装着されると、作用部材を押圧して前記棒状体を前記巻き取り主軸の軸方向の一方の向きに移動させる巻き取り軸受けと、巻き取り軸受けにより作用部材が押圧され、棒状体が巻き取り主軸の軸方向の一方の向きに移動されると、巻き取り主軸の内部から突出して巻き取り主軸の巻き取り外径を大きくする部材と、を備え、巻き取り主軸は、底面に、巻き取り主軸の巻き取り外径を大きくする部材を各々内部に保持し、該部材を必要に応じて巻き取り主軸から突出させるための開口部を軸方向に沿って複数有し、棒状体は、複数の開口部の各々に対応して設けられ、巻き取り主軸の巻き取り外径を大きくする部材を嵌入する複数の溝部を有し、巻き取り主軸の巻き取り外径を大きくする部材は、棒状体の巻き取り主軸の軸方向の一方の向きへの移動に伴って溝部から押し出され、開口部から突出することにより、巻き取り主軸の巻き取り外径を大きくすることを特徴とする 。
【００１７】
第１の発明では、巻き取り主軸は用紙を巻き取り、作用部材は巻き取り主軸の内部をその軸方向に移動可能な棒状体を有し、巻き取り軸受けは巻き取り主軸が回転可能に装着されると作用部材を押圧して棒状体を巻き取り主軸の軸方向の一方の向きに移動させ、巻き取り外径を大きくする部材は巻き取り軸受けにより作用部材が押圧され棒状体が巻き取り主軸の軸方向の一方の向きに移動されると巻き取り主軸の内部から突出して巻き取り主軸の巻き取り外径を大きくする。印刷装置は、この巻き取り装置により印刷済みの用紙を巻き取る。
【００１８】
一方、巻き取り主軸を巻き取り軸受けから解放した場合は、巻き取り軸受けは作用部材を押圧しなくなるため、棒状体は巻き取り主軸の軸方向の他方の向きにも移動可能となる。そこで、他方の向きに棒状体を移動すれば、巻き取り外径を大きくする部材は巻き取り主軸の内部からの突出をやめるため、巻き取り主軸の外径は、用紙を巻き取っていたときに比較して狭くなる。
【００１９】
さらに、巻き取り主軸が巻き取り軸受けから解放されている場合は巻き取り外径を大きくする部材はこの溝部に嵌っているため、巻き取り主軸の開口部から突出しない。一方、巻き取り主軸が巻き取り軸受けに回転可能に装着されると、棒状体とともにその溝部も巻き取り主軸の軸方向の一方の向きに移動する。しかし巻き取り外径を大きくする部材は、当該向きには移動できないため、その溝部から押し出され、巻き取り主軸の開口部から突出する。
【００２０】
第１の発明により、巻き取った用紙を容易に巻き取り主軸から外すことができ、その際に用紙に巻き乱れが発生しない用紙巻き取り装置を提供することができる。
【００２１】
また、巻き取り主軸を巻き取った用紙ごとに用意する必要がないため、運用コストの低い用紙巻き取り装置を提供することができる。
【００２２】
さらに、上記の効果を奏するほか、機構が簡単で、製造コストの安い用紙巻き取り装置を提供することができる。
【００２３】
第２の発明は、第１の発明において、巻き取り主軸は、底面の反対面に、一端が巻き取り主軸の一端に軸支され、他端が開閉可能であって、閉じて用紙をはさんで固定する用紙抑えを有することを特徴とする用紙巻き取り装置である。
【００２４】
第２の発明では、用紙抑えは巻き取り主軸の本体に対して開閉可能であり、これが開いているときに用紙の端部を挟み、これを閉じて用紙の端部を固定する。
【００２５】
第２の発明により、上記の効果を奏するほか、巻き取る用紙の端部を巻き取り主軸に容易に固定して巻き取りを開始することができる用紙巻き取り装置を提供することができる。
【００２６】
特に、用紙の端部をスリットなどに挿入する必要がないため、巻き取りの準備に手間と労力がかからない用紙巻き取り装置を提供することができる。
【００２７】
第３の発明は、第１または第２の発明において、さらに、巻き取り主軸が巻き取り軸受けから解放されている際に、巻き取り主軸の軸方向の他方の向きに作用部材を移動させる弾性体と、を有することを特徴とする用紙巻き取り装置である。
【００２８】
第３の発明では、弾性体は巻き取り主軸が巻き取り軸受けから解放されている際に、巻き取り主軸の軸方向の他方の向きに作用部材を移動させる。
【００２９】
第３の発明により、上記の効果を奏するほか、巻き取り主軸が巻き取り軸受けから解放されると自動的に作用部材が移動され、巻き取り外径を大きくする部材が突出をやめる巻き取り装置を提供することができる。
【００３０】
第４の発明は、第１から第３のいずれかの発明において、さらに、巻き取り軸受けの位置を固定する突起を有する蓋状体と、を有することを特徴とする用紙巻き取り装置である。
【００３１】
第４の発明では、蓋状体は巻き取り軸受けの位置を固定する突起を有する。巻き取り軸受けが弾性体により作用部材を押圧する場合に、弾性体の弾力が小さいと作用部材を十分に押圧できず、巻き取り外径を大きくする部材の突出が不十分になってしまう。一方、弾性体の弾力が大きいと、巻き取り軸受けから巻き取り主軸を解放する際や、巻き取り軸受けに巻き取り主軸を回転可能に装着する際の着脱が重くなってしまう。
【００３２】
突起により、巻き取り軸受けの位置が固定されるため、弾性体の弾力を小さくしても作用部材の押圧がされ、巻き取り外径を大きくする部材を十分に突出させることができる。
【００３３】
第４の発明により、上記の効果を奏するほか、巻き取り軸受けと巻き取り主軸との着脱が容易で、蓋状体を閉めると巻き取り外径を大きくする部材が確実に突出する用紙巻き取り装置を提供することができる。
【００３４】
第５の発明は、第１から第４のいずれかの発明に係る用紙巻き取り装置を有し、当該装置により印刷された用紙を巻き取ることを特徴とする印刷装置である。
【００３５】
第５の発明により、印刷された用紙を巻き取ることができ、巻き取った印刷済みの用紙を容易に取り外すことができる印刷装置を提供することができる。
【００３６】
【発明の実施の形態】
以下に本発明の一実施形態を説明する。なお、以下に説明する実施形態は説明のためのものであり、本発明の範囲を制限するものではない。したがって、当業者であればこれらの各要素もしくは全要素をこれと均等なものに置換した実施形態を採用することが可能であるが、これらの実施形態も本発明の範囲に含まれる。
【００３７】
図１は、本発明の用紙巻き取り装置の実施形態の一例の基本構成を示す説明図である。
【００３８】
図１（ａ）は、巻き取り主軸１０１が巻き取り軸受け１０２から解放され、作用部材１０３が押圧されず、棒状体１０４が巻き取り主軸１０１の内部の軸方向の他方へ移動しており、ピン状体１０５が巻き取り主軸１０１から突出せずにその内部に収まっている巻き取り装置の状況を示す断面図である。
【００３９】
この場合、巻き取り装置の蓋１０６も開いており、蓋１０６の突起１０９は巻き取り軸受け１０２に接していない。
【００４０】
また、用紙抑え１０８は開いており、用紙抑え１０８と巻き取り主軸１０１の本体との間に使用者は用紙を容易に挟むことができる。
【００４１】
巻き取り主軸１０１と作用部材１０３との間には図示しないバネが配置されており、このバネは、作用部材１０３を巻き取り主軸１０１の軸方向の他の向きへ押す。また、作用部材１０３が巻き取り主軸１０１から脱落しないようにバネが両者を接続している。
【００４２】
バネによって作用部材１０３が押されると、棒状体１０４が移動し、棒状体の溝部１１０が、ピン状体１０５が配置されている開口部１１１に重なる。したがって、ピン状体１０５は、溝部１１０と開口部１１１との間で巻き取り主軸１０１の半径方向に移動することができるようになる。
【００４３】
一方、図１（ｂ）は、巻き取り主軸１０１が巻き取り軸受け１０２に回転可能に装着され、作用部材１０３が押圧され、棒状体１０４が巻き取り主軸１０１の内部の軸方向の一方へ移動しており、ピン状体１０５が巻き取り主軸１０１から突出している巻き取り装置の状況を示す断面図である。
【００４４】
また、この場合、蓋１０６は閉じられ、蓋１０６の突起１０９は巻き取り軸受け１０２に接しており、巻き取り主軸１０１の軸方向における巻き取り軸受け１０２の位置を保持する役割を果たしている。
【００４５】
また、用紙抑え１０８も閉じており、使用者が用紙抑え１０８と巻き取り主軸１０１との間に挟んだ用紙の端部を固定する役割を果たす。
【００４６】
巻き取り主軸１０１が巻き取り軸受け１０２に回転可能に装着されると、巻き取り軸受け１０２が作用部材１０３を押圧し、巻き取り主軸１０１の軸方向の一方の向きに棒状体１０４が移動する。すると、棒状体の溝部１１０が開口部１１１からずれるため、ピン状体１０５が溝部１１０から押し出され、開口部１１１から突出することになる。
【００４７】
なお、巻き取り軸受け１０２は、印刷装置などの本体１１２にバネ１１３を介して固定されており、このバネ１１３の弾力によって作用部材１０３を押圧する。作用部材１０３は、バネの弾力によって巻き取り軸受け１０２を押圧するが、これによって巻き取り軸受け１０２が移動してしまうと、作用部材１０３が巻き取り主軸１０１の軸方向の他の方向へ移動し、棒状体１０４の溝部１１０が開口部１１１付近に移動し、ピン状体１０５の突出が十分でなくなる可能性がある。このため、蓋１０６の突起１０９によって巻き取り軸受け１０２の位置を固定するのである。
【００４８】
図１（ａ）および図１（ｂ）の説明図では、巻き取り主軸１０１の一方の端を保持するアームと、巻き取り主軸１０１が巻き取り軸受け１０２に回転可能に装着されている際に巻き取り主軸１０１に用紙を巻き取らせるための回転力を伝達するための歯車機構と、アームが上がっている場合には開いていた用紙抑え１０８を開き、アームが下がり蓋１０６が閉じた場合に用紙抑え１０８を閉じるための歯車機構と、は図示していない。これらについては公知の装置を使用することができる。
【００４９】
以下では、本実施例の各部の構成を詳細に説明する。
【００５０】
図２は、巻き取り主軸１０１の実施例の構成を示す説明図である。
【００５１】
巻き取り主軸１０１のアーム側の端部には、巻き取る用紙の巻き乱れを防止するための側板２０１が配置されている。
【００５２】
巻き取り主軸１０１の底面には、ピン状体１０５を内部に保持し、必要に応じて突出させるための開口部１１１が空けられている。本実施例ではこの開口部を６箇所に設けており、その形状は略円形であるが、この数および形状は巻き取り主軸の大きさ、用紙を巻き取る力、用紙の厚さ、製造コストなどの諸条件に応じて変更が可能であり、変更した実施形態も本発明の範囲に含まれる。
【００５３】
さらに、巻き取り主軸１０１の内部には、作用部材１０３が有する棒状体１０４が軸方向に移動可能とするための穴２０４が設けられている。開口部１１１は巻き取り主軸１０１の外壁をこの穴２０４へ向けて貫通している。
【００５４】
開口部１１１は、巻き取り主軸１０１の外壁の側は小さく、穴２０４側は大きくなっている。この大きさの変化によってピン状体１０５が巻き取り主軸１０１の半径方向に移動可能となるとともに、棒状体１０４が穴２０４に挿入されればピン状体１０５が開口部１１１から外に外れることがないようになっている。
【００５５】
巻き取り主軸１０１の巻き取り軸受け１０２側の端部には、巻き取り軸受け１０２によって回転可能に装着されるための軸突出部２０５が配置されている。
【００５６】
また、軸突出部２０５の近傍には巻き取り主軸１０１と作用部材１０３とを接続するバネを埋め込むためのバネ固定穴２０６が備えられている。なお、バネを配置する位置は、本実施例のほか、穴２０４の底部に配置する手法を採用することもできる。
【００５７】
図３は、巻き取り軸受け１０２の実施例の構成を示す説明図である。
【００５８】
巻き取り軸受け１０２には、巻き取り主軸１０１の軸突出部２０５を受けるための軸受け溝３０１が切られており、軸受け溝３０１の最も深い部分は巻き取り主軸１０１を滑らかに回転させるため、円弧状の形状となっている。
【００５９】
巻き取り軸受け１０２の巻き取り主軸１０１と反対側の面には、バネ１１３が配置されているが、巻き取り軸受け１０２は本体１１２に固定して、バネ１１３を配置しない実施形態をとることも可能である。この場合、蓋１０６の突起１０９を設ける必要はないが、巻き取り主軸１０１と作用部材１０３との間に配置されるバネの強さを調整する必要がある。
【００６０】
図４は、作用部材１０３とこれが備える棒状体１０４の実施例の構成を示す説明図である。
【００６１】
棒状体１０４には溝部１１０があり、ピン状体１０５が溝部１１０にはまり込んだり、ここから押し出されたりすることによって用紙の巻き取り外径を変化させる。
【００６２】
作用部材１０３の巻き取り軸受け１０２側には、作用板４０１が配置されている。作用板４０１は巻き取り軸受け１０２の押圧する力を受ける。また、バネを介して巻き取り主軸１０１と作用部材１０３とを接続する働きを有する。さらに、用紙の巻き乱れを防止する役割も果たす。
【００６３】
また、開口部４０２は、巻き取り主軸１０１の軸突出部２０５が貫通するためのものである。
【００６４】
図５は、ピン状体１０５の実施例の構成を示す説明図である。
【００６５】
ピン状体１０５は、棒状体１０４に接する側の底部５０１と、開口部１１１から突出するピン部５０２とを有する。底部５０１はピン部５０２よりも半径が大きく、底部５０１の幅は棒状体１０４の溝部１１０と開口部１１１の穴２０４側とにはまり込むことができる大きさであり、開口部１１１の外面側の大きさと略同じであるが、微小に大きい。ピン部５０２の大きさは、開口部１１１の外面側の大きさと微小に小さい。
【００６６】
なお、本実施形態においては、巻き取り主軸の巻き取り外径を大きくする部材としてピン状体を例に説明したが、本発明はこれに限定されるものではなく、球状体などのさまざまな形状に変更が可能である。
【００６７】
また、本発明で使用するバネ１１３等は、このほかの弾性体、たとえば、ゴム、スポンジ、プラスティック片などに変更が可能である。
【００６８】
本発明の用紙巻き取り装置は、従来の印刷装置の巻き取り装置と容易に置き換えが可能である点に特徴がある。
【００６９】
【発明の効果】
以上説明したように、本発明によれば、以下の効果を奏する。
【００７０】
第１に、巻き取った用紙を容易に巻き取り主軸から外すことができ、その際に用紙に巻き乱れが発生しない用紙巻き取り装置を提供することができる。
【００７１】
また、巻き取り主軸を巻き取った用紙ごとに用意する必要がないため、運用コストの低い用紙巻き取り装置を提供することができる。
【００７２】
さらに、機構が簡単で、製造コストの安い用紙巻き取り装置を提供することができる。
【００７３】
第２に、巻き取る用紙の端部を巻き取り主軸に容易に固定して巻き取りを開始することができる用紙巻き取り装置を提供することができる。
【００７４】
特に、用紙の端部をスリットなどに挿入する必要がないため、巻き取りの準備に手間と労力がかからない用紙巻き取り装置を提供することができる。
【００７５】
第３に、巻き取り主軸が巻き取り軸受けから解放されると自動的に作用部材が移動され、巻き取り外径を大きくする部材が突出をやめる巻き取り装置を提供することができる。
【００７６】
第４に、巻き取り軸受けと巻き取り主軸との着脱が容易で、蓋状体を閉めると巻き取り外径を大きくする部材が確実に突出する用紙巻き取り装置を提供することができる。
【００７７】
第５に、上記効果を奏する用紙巻き取り装置を有し、印刷された用紙を巻き取ることができ、巻き取った印刷済みの用紙を容易に取り外すことができる印刷装置を提供することができる。
【図面の簡単な説明】
【図１】  本発明の用紙巻き取り装置の実施形態の一例の基本構成の概要を示す説明図である。
【図２】  本発明の用紙巻き取り装置の実施形態の一例において利用される巻き取り主軸の構成を示す説明図である。
【図３】  本発明の用紙巻き取り装置の実施形態の一例において利用される巻き取り軸受けの構成を示す説明図である。
【図４】  本発明の用紙巻き取り装置の実施形態の一例において利用される作用部材の構成を示す説明図である。
【図５】  本発明の用紙巻き取り装置の実施形態の一例において利用されるピン状体の構成を示す説明図である。
【図６】  従来の用紙巻き取り装置およびこれを備える印刷装置の実施形態を示す説明図である。
【符号の説明】
１０１  巻き取り主軸
１０２  巻き取り軸受け
１０３  作用部材
１０４  棒状体
１０５  ピン状体
１０６  蓋
１０８  用紙抑え
１０９  突起
１１０  溝部
１１１  開口部
１１２  本体
１１３  バネ
２０１  側板
２０４  穴
２０５  軸突出部
２０６  バネ固定穴
３０１  軸受け溝
４０１  作用板
４０２  開口部
５０１  底部
５０２  ピン部
６０１  印刷装置
６０２  蓋
６０３  巻き取り主軸
６０４  アーム
６０６  用紙抑え
６０７  用紙ストック部
６０８  巻き取りローラー
６０９  印刷機構部
【図１】
0003700750.tif 000002
【図２】
0003700750.tif 000003
【図３】
0003700750.tif 000004
【図４】
0003700750.tif 000005
【図５】
0003700750.tif 000006
【図６】
0003700750.tif 000007